(57)【要約】【課題】乳幼児の保護具において、保護具として使用しないときの収納性に優れると共に、チエアベルトの機能、又は／及び歩行範囲を制限するハーネス機能を備えつつ、収納体のデザイン性が高く、収納時にはポシェット機能も備えた多用途型保護具の提供を目的とする。【解決手段】乳幼児に着衣し、又は装着して身体の動きを制限する保護具において、保護具の少なくとも一部を表布部材と裏布部材との２重構造に形成し、この表布部材と裏布部材とを一部を除いて周縁部で縫着して開口部を形成するとともに、さらにこの開口部に周縁部を縫着した袋体を備え、かつ、開口部には開閉手段を備えたことにより、乳幼児の保護具としての使用時には、袋体を前記開口部に収納し、逆に保護具として使用しない時には、保護具を袋体に収納できるようにした。【選択図】  図１
2006051130.tif 000002
【特許請求の範囲】
【請求項１】
乳幼児に着衣し、又は装着して身体の動きを制限する保護具において、
保護具の少なくとも一部を表布部材と裏布部材との２重構造に形成し、
この表布部材と裏布部材とを一部を除いて周縁部で縫着して開口部を形成するとともに、さらにこの開口部に周縁部を縫着した袋体を備え、かつ、開口部には開閉手段を備えたことにより、乳幼児の保護具としての使用時には、袋体を前記開口部に収納し、逆に保護具として使用しない時には、保護具を袋体に収納できるようにしたことを特徴とする乳幼児の保護具。
【請求項２】
表布部材と裏布部材との２重構造に形成した部分は、乳幼児の腹当て部又は胸当て部あるいは腰当て部等の身体当て部材の少なくとも一部であることを特徴とする請求項１記載の乳幼児の保護具。
【請求項３】
乳幼児の保護具は、乳幼児を椅子に着座させた状態を安全に保護するチエアベルトであることを特徴とする請求項１又は２記載の乳幼児の保護具。
【請求項４】
乳幼児の保護具は、乳幼児を歩行させてつれ歩く際に、乳幼児の歩行状態及びその歩行範囲を安全に保護するハーネスであることを特徴とする請求項１又は２記載の乳幼児の保護具。
【請求項５】
乳幼児の保護具は、身体当て部材を備えた身体への着衣部分又は装着部分と、引きベルトとで構成し、
引きベルトを椅子の背もたれに回り込ませて、その両端部を前記着衣部分又は装着部分に連結するとチェアベルトとして乳幼児を椅子に着座させた状態を安全に保護し、
引きベルトの一端部を前記着衣部分又は装着部分に連結するとハーネスとして、その他端を保持することで乳幼児の歩行状態及びその歩行範囲を安全に保護できるように使用態様を交換できるようにしたことを特徴とする請求項１又は２に記載の乳幼児の保護具。
【請求項６】
身体への着衣部分又は装着部分は、表布部材と裏布部材との２重構造に形成した腹当て部からなる身体当て部材と、腰ベルトと、肩ベルトとを備えて乳幼児に装着できるようになっていて、
腰ベルトは、腹当て部の左右両側に着脱自在に連結し、その背中側に椅子用連結具と歩行用連結具を備え、
肩ベルトは、一端を腹当て部の上部に連結し、他端を腰ベルトに連結してあり、
引きベルトは長さ調整具を備え、椅子の背もたれを回り込ませて、その両端部を腰ベルトの背中側に配設した椅子用連結具に連結するとチェアベルトになり、
引きベルトの一端部を腰ベルトの背中側に配設した歩行用連結具に連結するとハーネスになることを特徴とする請求項５に記載の乳幼児の保護具。
【請求項７】
開口部を開閉する手段は、ファスナー手段であることを特徴とする請求項１〜６のいずれかに記載の乳幼児の保護具。
【請求項８】
袋体は、ポーチ形状であることを特徴とする請求項１〜７のいずれかに記載の乳幼児の保護具。
【発明の詳細な説明】
【技術分野】
【０００１】
この発明は、乳幼児の保護具に関し、保護具として使用しないときには保護具を収納しやすく、収納体のデザイン性を向上させた乳幼児の保護具に係る。
特に、乳幼児を大人用椅子等に着座させる際には、椅子から落ちないように保護し、乳幼児を歩行させてつれ歩く際には、乳幼児の歩行範囲を制限することで乳幼児を保護するのに使用し、携帯時にはポシェット機能を有する多用途型乳幼児の保護具に係る。
【背景技術】
【０００２】
お座りが出来るようになったぐらいの乳幼児は、活動が活発でありながら、危険についての知識が乏しく親に伴われて外出する際に、出先で大人用の椅子に座らせた場合に、活発であるが故に落ちないような保護具が必要であり、歩行させる場合にも歩行範囲を制限できるような保護具が必要である。
【０００３】
この種の乳幼児用の保護具としては、実開昭５９−１９６１６３号公報に記載のものや、実公昭５１−３２５８６号公報に記載のものが公知である。
しかし、上記に開示の保護具は収納性や携帯性に劣り、外出時の携帯に不便であったり、構造が複雑で乳幼児に着衣させるのが大変であるものが多かった。
【０００４】
【特許文献１】実開昭５９−１９６１６３号公報
【特許文献２】実公昭５１−３２５８６号公報
【発明の開示】
【発明が解決しようとする課題】
【０００５】
本発明は上記のような背景技術の下に、乳幼児の保護具において、保護具として使用しないときの収納性に優れると共に、乳幼児に装着脱が容易で椅子に安全に着座させる、いわゆるチエアベルトの機能、又は／及び、歩行時に歩行範囲を制限するいわゆるハーネス機能を備えつつ、収納体のデザイン性が高く、収納時にはポシェット機能も備えた袋体付乳幼児の多用途型保護具の提供を目的とする。
【課題を解決するための手段】
【０００６】
上記目的を達成するための本発明の技術的要旨は、乳幼児に着衣し、又は装着して身体の動きを制限する保護具において、保護具の少なくとも一部を表布部材と裏布部材との２重構造に形成し、この表布部材と裏布部材とを一部を除いて周縁部で縫着して開口部を形成するとともに、さらにこの開口部に周縁部を縫着した袋体を備え、かつ、開口部には開閉手段を備えたことにより、乳幼児の保護具としての使用時には、袋体を前記開口部に収納し、逆に保護具として使用しない時には、保護具を袋体に収納できるようにしたことを特徴とする。
【０００７】
この場合に、収納用の袋体を取り付けるための、表布部材と裏布部材との２重構造に形成する部分は、腹当て部又は胸当て部あるいは腰当て部等、乳幼児の保護具に適した各種身体当て部材の少なくとも一部であっても良い。。
【０００８】
このようにすると、乳幼児の保護具としての使用時には、この表布部材と裏布部材とを一部を除いて周縁部で縫着して形成した開口部に袋体を収納でき、逆に保護具として使用しない時には、保護具をこの袋体に収納できるようになる。
従って、保護具として使用しないときには、この袋体はその他にハンカチ等の小物を収納することができる、いわゆるポシェット機能を有することになる。
【０００９】
本発明のおける収納性と収納デザイン性に優れた乳幼児の保護具は、例えば、乳幼児を椅子に着座させた状態を安全に保護するチエアベルトや、乳幼児を歩行させてつれ歩く際に、乳幼児の歩行状態及びその歩行範囲を安全に保護するハーネス等に適用できる。
【００１０】
乳幼児の保護具は、身体当て部材を備えた身体への着衣部分又は装着部分と、引きベルトとで構成し、引きベルトを椅子の背もたれに回り込ませて、その両端部を前記着衣部分又は装着部分に連結するとチェアベルトになり乳幼児を椅子に着座させた状態を安全に保護し、引きベルトの一端部を前記着衣部分又は装着部分に連結するとハーネスベルトとして、その他端を保持することで乳幼児の歩行状態及びその歩行範囲を安全に保護できるハーネスに交換できるようにしても良い。
【００１１】
身体への着衣部分又は装着部分は、表布部材と裏布部材との２重構造に形成した腹当て部と、腰ベルトと、肩ベルトとを備えて乳幼児に装着できるようになっていて、腰ベルトは、腹当て部の左右両側に着脱自在に連結し、その背中側に椅子用連結具と歩行用連結具を備え、肩ベルトは、一端を腹当て部の上部に連結し、他端を腰ベルトに連結してあり、引きベルトは長さ調整具を備え、椅子の背もたれを回り込ませて、その両端部を腰ベルトの背中側に配設した椅子用連結具に連結するとチェアベルトになり、引きベルトの一端部を腰ベルトの背中側に配設した歩行用連結具に連結するとハーネスになるようにすると、着衣部分又は装着部分を乳幼児の身体に着せ、長さ調整具を備えた引きベルトを椅子の背もたれを回り込ませて、その両端部を腰ベルトの背中側に配設した椅子用連結具に連結し長さ調整具を用いてその長さを調整することで、チェアベルトになり、一方、引きベルトの一端部を腰ベルトの背中側に配設した歩行用連結具に連結すると、その他端を保持することで乳幼児の歩行状態及びその歩行範囲を安全に保護できるハーネスになり、相互に使用態様を容易に交換できるようになる。
【００１２】
従って、腰ベルトの背中側に椅子用連結具と歩行用連結具を備えた趣旨は、チェアベルトとして使用する際には、腰ベルトの背中側に例えば、２つの椅子用連結具を取り付けて、これに引きベルトの両端を連結し、ハーネスとして使用する際には腰ベルトの背中側の歩行用連結具に引きベルトの一端を連結する趣旨であり、このような趣旨に沿う限り椅子用連結具と歩行用連結具を兼ねても良く、２つの椅子用連結具を１つにして引きベルトの両端部を連結しても良い。
【００１３】
また、保護具は、腰ベルトを腹当て部の左右両側に着脱自在に連結したのは、乳幼児に着衣あるいは脱衣しやすいようにする趣旨である。
従って、腹当て部と、その左右の腰ベルトの連結手段としては、ベルトを止めやすく、外しやすいように例えば、ワンタッチバックル等が良い。
一般的なワンタッチバックルは、筺体の差込口両側に係止開口部を備えた雌部と、差込口の係止開口部に嵌合係止する爪を両側に備えた雄部から構成されている。
また、腰ベルトには、長さ調整具を備えるのが乳幼児の大きさに合わせることができて良い。
腰ベルトは乳幼児の両肩を支える趣旨で２本の肩ベルトとしても良く、１本の肩ベルトをＹ字状に分割させた形状でもよい。
【００１４】
前記開口部の開閉手段としてファスナー手段を備えると、保護具としての使用時には、この袋体を腹当て部等の身体当て部材の開口部から出ないように収納でき、小物も入れておける。
一方、身体への着衣部分又は装着部分、引きベルト等を袋体に収納し、ポシェットとして使用する際には、ファスナーが袋体の開閉手段となる。
従って、ファスナー手段には、身体当て部材の開口部に袋体を入れて開閉でき、逆に袋体に身体当て部材等を裏返すように収納して開閉できるようにファスナーの両面から開閉できるものが良い。
そのようなファスナー手段であれば、特に限定されなく、スライドファスナー、面ファスナー、スナップファスナー、ボタンとホックの掛け合わせ等が例として挙げられる。
スライドファスナーを用いた場合には、ファスナーの両面側からスライダーをスライドできるように両面に引き具を備えたものや、引き具がファスナーの両面のどちらにも回り込むタイプのものが例として挙げられる。
【００１５】
また、本発明の特徴をより発揮するには、身体当て部材の機能を重視したその外形形状と、その開口部に縫着した袋体の収納性、デザイン性を重視したその袋体の外形形状とを異ならせるのがよい。
例えば、身体当て部材を略台形形状にし、袋体をポーチ形状等にすることが例として挙げられる。
【発明の効果】
【００１６】
本発明においては、保護具の少なくとも一部を、表布部材と裏布部材との二重構造に形成し、表布部材と裏布部材とを一部を除いて周縁部で縫着して開口部を形成するとともに、さらにこの開口部に周縁部を縫着した袋体を備えたことにより、乳幼児の保護具としての使用時には、袋体をこのの開口部に収納し、逆に保護具として使用しない時には、保護具を袋体に収納できるようになり、保護具の他に収納バック等を持ち歩く必要がなくなり、携帯性に優れ、さらには、保護具に一体的に設けたこの袋体を簡単な小物入れバックとしても使用できる。
【００１７】
乳幼児の保護具を身体への着衣部分又は装着部分と引きベルトに分離した構成にすると、着座時にはこの引きベルトの両端部を椅子の背もたれを回し込むようにしてに着衣部分又は装着部分に連結すればよく、一方、乳幼児を歩行させる際には引きベルトの一端のみを着衣部分又は装着部分に連結すればよく、着衣性と機能性に優れる。
【００１８】
より具体的に説明すると、腹当て部等の身体当て部材は乳幼児の装着性やデザインを考慮して、例えば略台形形状等各種形状を選択使用した場合に、このを身体当て部材裏返して仮に袋状にすると身体当て部材の外形に制限されて、台形を裏返した複雑な形状の袋になってしまう。
ところが、本発明のように身体当て部材の開口部に別の袋体を縫着すると、身体当て部材を裏返すようにこの袋体に収納することができ、その外観は袋体の外観になるので、身体当て部材とは無関係に袋体の外形形状を選定できることになる。
これにより、デザイン性に優れた収納体になり、いわゆるポシェットとしての機能性もよくなる。
【発明を実施するための最良の形態】
【００１９】
本発明に係る乳幼児の保護具において身体当て部材を腹当て部とした場合の構造例を図１及び図２に示す。
乳幼児の保護具は、身体への着衣部分又は装着部分１０と引きベルト２０で構成する。
図１は、腹当て部（身体当て部材）１１から袋体１４を引き出した状態を示し、実際に保護具として使用する際には、図２に示すように腹当て部１１の表布部材１１Ａと裏布部材１１Ｂとの周縁部を縫着し、袋状にした開口部１２よりその中に袋体１４を収納して使用する。
開口部１２にはスライドファスナー１３を取り付け、引き具１３ａで開閉するようになっている。
【００２０】
図１に基づいて、基本構造を説明する。
着衣部分又は装着部分１０は、腹当て部１１と腰ベルト１６ａと２本の肩ベルト１５ａとを備えて乳幼児に装着できるようになっている。
腰ベルト１６ａは、腹当て部１１の左右両側に着脱自在に連結し、腰ベルトの背中側には、２つの椅子用連結具１７、１７と、１つの歩行用連結具１９を備えている。
腰ベルトを腹当て部に着脱自在にしたのは、乳幼児に着せやすくする趣旨で、図１に示す例では、腹当て部１１の左右両側にそれぞれ、サイドベルト１６ｂ、１６ｂを縫着してその先にバックル（雌）１８ｂ、１８ｂを取り付け、腰ベルト１６ａ側の両端には対応するバックル（雄）１８ａを取り付けている。
また、腰ベルト１６ａ又はサイドベルト１６ｂのバックル取り付け部にベルト長さ調整具１６ｃを取り付け、長さ調整可能になっている。
なお、バックルの雄、雌はどちら側に付けてもよく、差し込むだけで連結できるワンタッチバックルを採用するのがよい。
ワンタッチバックルの例を図９に示す。
バックルの雌１８ｂである差込口側には両側に係止開口部１８ｄを形成し、雄側１８ａには嵌合爪１８ｃを形成している。
【００２１】
肩ベルト１５ａは、一端を腹当て部１１の上部１１ｄに連結し、他端を腰ベルト１６ａ側に連結してあり、ベルトの途中に長さ調整具１５ｂを取り付けてある。
なお、図１に示す例では、２本の肩ベルトを用いて、それぞれの端部を腹当て部及び腰ベルト側に縫着しているが、この肩ベルトは、乳幼児の両肩を通して腹当て部と腰ベルトを繋ぐのが趣旨で、１本の肩ベルトをＹ字状に分割させた形状でもよい。
【００２２】
腹当て部１１は、表布部材１１Ａと裏布部材１１Ｂを周縁で縫着し、下端部１１ａを開口部１２とした袋状に形成するとともに、さらにこの開口部１２に周縁を縫着した袋体１４を形成している。
袋体１４にはポシェットとしての機能性を高めるために、持ち手部１４ａを取り付けている。
収納方法は後述する。
腹当て部は乳幼児の腹部を支えて姿勢を保持するのもであるから、機能性とデザイン性を必要とする。
図１に示す例は、表布部材１１Ａと裏布部材１１Ｂとを下端部１１ａ、上端部１１ｄ、両側の脇部１１ｂ、１１ｃからなる略台形形状をしている。
表布部材１１Ａは意匠性も要求され、図１に示すようにポケット１１ｅを取り付けてもよい。
裏布部材は乳幼児の腹部に当たる部分なので、安全で快適な使用感を有するのが好ましく、メッシュにして滑りにくくしたり、通気性を良くしたり、あるいはクッション材を用いても良い。
なお、腹当て部を表布部材１１Ａと裏布部材１１Ｂとで構成する趣旨は、あくまで、袋状を形成する点にあり、素材の異種、同種にこだわるものではない。
【００２３】
引きベルト２０はベルト部２１の両端にフック２２を形成し、ベルトの途中に長さ調整具２３を備えている。
【００２４】
図３には、着衣部分又は装着部分１０の腰ベルト１６ａをサイドベルト１６ｂにバックルで連結した状態の前視斜視図を示し、図４にその後視斜視図を示す。
図４を見ると分かりやすいように、腰ベルト１６ａの背中側にチェアベルトとして使用する際に連結する椅子用連結具１７が２カ所取り付けてあり、図５に示すように、この椅子用連結具１７に引きベルト２０を長さ調整して椅子の背もたれに回し込むようにして両端のフック部２２をそれぞれ連結する。
このようにして、椅子に乳幼児を座らせた状態を図６に示す。
一方、図７に示したように、歩行用連結具１９に引きベルト２０の一端のフック２２を連結すると、引きベルトがハーネスベルトとなりハーネスとして使用できる。
引きベルトのフック部拡大図を図８に示すように、ベルト部の端部はベルト２１を折り返して縫着し輪２１ａを形成してフック支持部２２ａを取り付け、軸部２２ｂ、２２ｃで相互に回動自在になっている。
【００２５】
次に、保護具の収納方法について説明する。
図１０に示すように、袋体１４に腹当て部１１を裏返すようにして入れ、次に肩ベルト１５ａ、腰ベルト１６ａを入れ、さらに引きベルト２０を収納する。
そのような収納状態の上から見た斜視図を図１１に示す。
袋体１４はポシェット本体部としての機能性と、デザイン性を備えていて、開口部はスライドファスナー１３を備え、図１に示した引き具１３ａとは反対側の面に引き具１３ｂを取り付けている。
また、持ち手部１４ａを備えている。
図１１に示した袋体の形状はポーチ形状として一例を示したものであり、腹当て部とは関係なく形状を選択使用できる。
【図面の簡単な説明】
【００２６】
【図１】本発明に係る乳幼児の保護具の構成例を示す。
【図２】腹当て部に袋体を収納した状態を示す。
【図３】着衣部分又は装着部分の前視斜視図を示す。
【図４】着衣部分又は装着部分の後視斜視図を示す。
【図５】チェアベルトとして使用する場合を示す。
【図６】乳幼児を大人の椅子に座らせて保護具を使用した例を示す。
【図７】ハーネスとして使用する場合を示す。
【図８】フック部の拡大図を示す。
【図９】バックルの拡大図を示す。
【図１０】収納手順を示す。
【図１１】ポシェットとした状態を示す。
【符号の説明】
【００２７】
１０    着衣部分又は装着部分
１１    腹当て部
１１Ａ  表布部材
１１Ｂ  裏布部材
１２    腹当て部の開口部
１３    ファスナー
１３ａ、１３ｂ  ファスナーの引き具
１４    袋体（ポシェット本体部）
１５ａ  肩ベルト
１５ｂ  肩ベルトの長さ調整具
１６ａ  腰ベルト
１６ｂ  サイドベルト
１７    椅子用連結具
１８ａ  バックル（雄）
１８ｂ  バックル（雌）
１９    歩行用連結具
２０    引きベルト
２１    ベルト部
２２    フック
２３    引きベルトの長さ調整具
【図１】
2006051130.tif 000003
【図２】
2006051130.tif 000004
【図３】
2006051130.tif 000005
【図４】
2006051130.tif 000006
【図５】
2006051130.tif 000007
【図６】
2006051130.tif 000008
【図７】
2006051130.tif 000009
【図８】
2006051130.tif 000010
【図９】
2006051130.tif 000011
【図１０】
2006051130.tif 000012
【図１１】
2006051130.tif 000013